(57)【特許請求の範囲】
【請求項１】
上下一対の弦材と束材とを回動自在に結合して格子状の平行四辺形リンクとなし、その一方の対角線に沿って両節点間に伸縮調整可能な斜め材を結合して構成要素の最小単位となる基本トラスを形成し、この基本トラスを多数束材を共有させつつ連結骨組みしてトラス架構を構成し、該トラス架構はその一端を固定端となして壁面などに一体的に支持する一方、他端を自由端となし、かつ基本トラスを構成する固定長の各下弦材の下側に天井板を取付けてトラス架構下面を連続性を保持した天井面として形成し、前記斜め材の伸縮調整に応じて前記天井面の高さ及び傾斜形状を変形可能としたことを特徴とする天井構造。
【請求項２】
前記基本トラスを構成する固定長の各上弦材の上側に屋根材を取付けることでトラス架構上面を屋根面としたことを特徴とする請求項１記載の天井構造。
【発明の詳細な説明】
【０００１】
【発明の属する技術分野】
本発明は、昇降及び傾斜度合を変更可能とした天井構造に関する。
【０００２】
【従来の技術】
演奏会、演劇、その他イベントの種類や規模に応じて、天井高や、天井面の傾斜形状を変更できるようにした多目的ホールとして、例えば、特開平８−２６０７３７号公報に示す天井構造を持ったものが知られている。
【０００３】
このものは、アリーナ（客席）の上部全体を覆う屋根から仮想天井面を形成する多数の天井板をそれぞれ独立に昇降かつ傾動可能に吊下げ支持し、仮想天井面の高さや傾斜形状を各種イベントに応じて調節することで残響時間の調整や、ホール内雰囲気の演出などに適用される。
【０００４】
【発明が解決しようとする課題】
しかし、この構造では、分割された各天井板を各個別に昇降させる方式であるため、連続的に天井高さを変えようとしても、各天井板間に隙間が開いてしまったり、段差が生ずることを避け難く、反響板としての音響的特質も損われ、また隙間から上部の機構部が見えてしまうため、見栄え上も好ましくなかった。
【０００５】
本発明は、以上の課題を解決するものであり、その目的は、形状変形させても各天井板間の連続性が保持され、音響効果上からも見栄え上からもさらに好ましい構造とした多目的ホールの天井構造を提供することにある。
【０００６】
【課題を解決するための手段】
以上の目的を達成するため、本発明は、上下一対の弦材と束材とを回動自在に結合して格子状の平行四辺形リンクとなし、その一方の対角線に沿って両節点間に伸縮調整可能な斜め材を結合して構成要素の最小単位となる基本トラスを形成し、この基本トラスを多数束材を共有させつつ連結骨組みしてトラス架構を構成し、該トラス架構はその一端を固定端となして壁面などに一体的に支持する一方、他端を自由端となし、かつ基本トラスを構成する固定長の各下弦材の下側に天井板を取付けてトラス架構下面を連続性を保持した天井面として形成し、前記斜め材の伸縮調整に応じて前記天井面の高さ及び傾斜形状を変形可能とした。
【０００７】
これにより、本発明の天井構造にあっては、高さ変更及び傾斜度合変更したとしても天井板の連続性が維持される。
【０００８】
また、上記天井構造にあっては、その基本トラスを構成する固定長の各上弦材の上側に屋根材を取付けることでトラス架構の上面を屋根としても機能させることができる。
【０００９】
【発明の実施の形態】
以下、本発明の好ましい実施の形態につき、添付図面を参照して詳細に説明する。
【００１０】
図１は本発明に係る天井構造を示す概略構成図であり、図示するように、上下一対の弦材１と束材２とを節部３を介して回動可能に結合して格子状の平行四辺形リンクを形成すると共に、この平行四辺形リンクの一方の対角線に沿って斜め材４を結合して構成要素の最小単位となる基本トラス５を形成し、この基本トラス５を多数その束材２を共有させつつ縦横に梯子状に連結骨組してトラス架構６を構成している。そして、各基本トラス５を構成する下弦材１にはその下側に天井板７を取付け、これによりトラス架構６の下面を天井面として形成している。また、各基本トラス５を構成する上弦材１にはその上側に支持ステー１２を介して屋根材１３を取付け、これによりトラス架構６の上面を屋根面として形成している。
【００１１】
このトラス架構６はその一端が固定端８側とされて壁面などに一体的に支持され、他端側は自由端とされて、図示していないが適宜な支持装置などによって昇降かつ伸縮可能に支持される。
【００１２】
前記斜め材４は、例えば油圧等の流体作動式ジャッキまたはネジ式ジャッキなどのような伸縮部材から構成されるもので、遠隔操作により伸縮制御されるようになっている。そして、各斜め材４が基準となる同一長さに保たれている場合には、各基本トラス５は矩形状に保持されて、図１（ａ）に示すように、トラス架構６並びに天井板７と屋根材１３とは水平状態を保つようになっている。
【００１３】
これに対し、図１（ｂ）に示すように、固定端８から順次隣合う各基本トラス５の斜め材４同士を矢印に示すごとく伸縮することで、各基本トラス５はその伸縮量に応じて斜めに平行四辺形状に変形し、固定端８側から順に下方に傾斜して、下降位置に保持されることになり、これに応じて各天井板７及び屋根材１３はその天井面及び屋根面の連続性を保持した状態で傾斜しつつ、所定の高さまで降下した状態となる。なお、同図において各斜め材４の伸縮方向を逆に設定すれば、上昇方向に傾斜した天井面及び屋根面を形成することも可能である。
【００１４】
図２は、以上のトラス架構６を用いて天井及び屋根を構成した多目的ホール１０を示すもので、アリーナ１１は階段状構造が平土間に連続する形状となっており、図示しない舞台側に向けてその客席を配置したものである。そして、天井架構６は、客席の最奥部を固定端とし、舞台裏側を自由端として、図示しない支持装置により前後左右移動及び昇降可能に保持されている。なお、図２においては天井板と屋根材とは省略してある。
【００１５】
図２（ａ）にあっては、斜め材４が基準の同一長に設定されていて、各基本トラス５は矩形状に保たれ、各天井板７が水平に保持されている状態を示し、これによってホール１０の天井面及び屋根面は水平であって、天井高が最も高い位置に保持される。
【００１６】
また、図２（ｂ）にあっては、ホール１０内を前後複数のエリアに仕切って、そのエリア毎にそれぞれの基本トラス５の斜め材４の伸縮量の設定を変え、これにより客席最奥部から順にその傾斜度合を変化させた状態を示している。この状態では形状変化に応じて天井架構６の自由端側は客席側に移動しつつ下降するが、この状態に応じて図示しない支持装置により支持される。
【００１７】
さらに図２（ｃ）においては、以上に加えて客席の巾方向中央で天井面高さが最低となるように各最小トラス５を巾方向にも高さ変化させたもので、船底状の天井面を得られるようになっている。この場合には、天井板７と屋根材１３とには可撓性に富む材質のものを採用するのが望ましい。
【００１８】
以上の形状制御は、例えば管理室などにおいてコンピュータ制御などにより、そのイベントに最も適合した形状やパターンの組替えを選択することで、各斜め材４の伸縮量が一斉に数値制御され、前記のごとく所要パターンに応じた天井面の形状が選択される。
【００１９】
いずれにおいても、各天井板７並びに屋根材１３はトラス架構６の固定長の下弦材１または上弦材１に取り付けられて順次傾斜しながら連続性を保って高さ変化していく。このため、各天井板７間に隙間があくことはなく、これによる音響的影響や見栄えが低下するのを防止しつつ、天井面の傾斜及び高さを可変設定できることになる。
【００２０】
なお、図２（ｃ）のように巾方向にも高さ変化を与えて船底状等の形状に変形させるという必要がなければ、トラス架構６の巾方向は束材２同士を固定長のトラス部材で一体的に剛結合させても良い。
【００２１】
また、上記実施形態ではトラス架構６に天井板７と屋根材１３との双方を取り付けているが、トラス架構６をもっぱら天井架構として使用し、これに天井板７のみを取付けた専用の天井構造としても良いのは勿論のこと、反対にトラス架構６をもっぱら屋根架構として使用し、これに屋根材１３のみを取付けた専用の屋根構造とすることもできる。
【００２２】
【発明の効果】
以上の説明により明らかなように、本発明による天井構造にあっては、天井板は、一端が固定端とされるとともに他端が自由端とされたトラス架構の固定長の下弦材に連続性を保持した状態で取り付けられるので、トラス架構を形状変形させても各天井板間に隙間があくことはなく、これによる音響的影響や見栄えが低下するのを防止しつつ、天井面の傾斜及び高さを可変設定でき、音響効果上からも見栄え上からもさらに好ましい構造となる。
また、上記天井構造にあっては、その基本トラスを構成する各上弦材の上側に屋根材を取付けることで、トラス架構の上面を連続性が保持される屋根としても機能させることができる。
【図面の簡単な説明】
【図１】本発明の天井構造を構成するトラス架構を示し、（ａ）は水平形状の側面説明図、（ｂ）は傾斜形状とした側面説明図である。
【図２】同トラス架構を用いたホールの天井形態を示し、（ａ）は水平形態に、（ｂ）は傾斜形態に、（ｃ）は船底状形態にそれぞれ変形した状態を示す側面図及び半断面正面図である。
【符号の説明】
１  上下弦材
２  束材
３  節部
４  斜め材
５  基本トラス
６  天井架構
７  天井板
８  固定端
【図１】
0003669842.tif 000002
【図２】
0003669842.tif 000003